(57)【特許請求の範囲】
【請求項１】
アクチュエータをロック解除位置からロック位置に操作することによりハウジングに平板状またはシート状の接続対象物を機械的に保持して接続対象物の接点部をコンタクトに電気的に接続するコネクタにおいて、
前記ハウジングは、前記接続対象物が挿入される正面側に向かって互いに平行に延びる上側板状部および下側板状部を有すると共に前記上側板状部の下面と前記下側板状部の上面との間に正面側に向かって開放された接続対象物受け入れ部を有し、
前記ハウジングに保持されると共に前記接続対象物受け入れ部内に挿入された前記接続対象物の接続端部の位置をロックするためのロック部材を備え、
前記ロック部材は、それぞれ前記接続対象物の挿入方向に延びると共に前記接続対象物の挿入方向の中央部分が互いに連結された上腕および下腕を有し、前記上腕の前端部は前記上側板状部の下面よりも上方で前記上側板状部に沿って正面側へ延びて前記上側板状部に拘束され、前記下腕の前端部は前記下側板状部に沿って正面側へ延びると共に前記下腕の前端部に前記上側板状部に向かって突出するロック用突起が形成され、前記下腕の後端部は前記ハウジングに対して位置固定され、
前記アクチュエータが前記ロック位置に操作されると、前記ロック部材の前記上腕の後端部が前記下腕の後端部から離れるように押し上げられることにより、前記下腕の前端部が前記上腕の前端部に接近し、前記ロック用突起が前記接続対象物受け入れ部内を前記上側板状部に向かって変位して前記接続対象物の接続端部の位置をロックすることを特徴とするコネクタ。
【請求項２】
前記ロック用突起は、前記アクチュエータが前記ロック解除位置に操作されたときに、前記下側板状部の上面よりも下方に位置し、前記アクチュエータが前記ロック位置に操作されると、前記接続対象物受け入れ部内に突出する請求項１に記載のコネクタ。
【請求項３】
前記ロック用突起は、前記アクチュエータが前記ロック解除位置に操作されたときから前記接続対象物受け入れ部内に突出しており、
前記下側板状部は、前記接続対象物受け入れ部内に前記接続対象物を挿入する際に前記ロック用突起が前記接続対象物に接触することで押し下げられる前記ロック部材の前記下腕の前端部を収容する下腕収容部を有する請求項１に記載のコネクタ。
【請求項４】
前記上側板状部は、前記ロック部材の前記上腕の前端部を収容し且つ前記上腕の前端部を正面側および前記下側板状部に向かって変位しないように拘束する上腕収容部を有する請求項１〜３のいずれか一項に記載のコネクタ。
【請求項５】
前記ロック部材は、前記下腕の後端部に連結された基板実装部を有し、
前記コンタクトは、前記ハウジングに保持されると共に前記ハウジングの後部に突出する基板接続部を有し、
前記ハウジングは、前記コンタクトの前記基板接続部を基板に接続することにより前記基板に固定され、
前記ロック部材は、前記基板実装部を前記基板に実装することにより前記基板に固定されると共に前記下腕の後端部が前記ハウジングに対して位置固定される請求項１〜４のいずれか一項に記載のコネクタ。
【請求項６】
前記ロック部材は、前記下腕の後端部に連結されたハウジング保持部を有し、
前記ハウジング保持部を前記ハウジングに保持させることにより前記下腕の後端部が前記ハウジングに対して位置固定される請求項１〜４のいずれか一項に記載のコネクタ。
【請求項７】
前記アクチュエータは、前記ロック部材の前記上腕の後端部と前記下腕の後端部との間に配置され且つ前記アクチュエータが前記ロック位置に操作されたときに前記ロック部材の前記上腕の後端部を押し上げるカム部材を有する請求項１〜６のいずれか一項に記載のコネクタ。
【発明の詳細な説明】
【技術分野】
【０００１】
この発明は、コネクタに係り、特に、ＦＰＣ（フレキシブルプリント回路、Flexible Printed Circuit）およびＦＦＣ（フレキシブルフラットケーブル、Flexible Flat Cable）等の平板状またはシート状の接続対象物の接続を行うコネクタに関する。
【背景技術】
【０００２】
この種のコネクタにおいては、コネクタに接続対象物が嵌合された後にこれら両者間に何らかの応力が作用して接続対象物がコネクタから抜けることを防止するために、抜け止め部材を有するものが考案されている。
例えば、特許文献１には、図１０に示されるように、ハウジング１に抜け止め部材２が保持されたコネクタが開示されている。抜け止め部材２は、接続対象物３の挿入方向に延びる上腕４および下腕５を有すると共に、上腕４および下腕５のそれぞれの中央部分を連結部６で互いに連結した構造を有している。
接続対象物３の接続端部をコネクタの内部に挿入して抜け止め部材２の上腕４の前端部と下腕５の前端部との間に位置させた後、コネクタのアクチュエータ７を操作して抜け止め部材２の上腕４の後端部を上方へ持ち上げると、上腕４の前端部が下降して接続対象物３の接続端部が下方へ押しつけられ、抜け止め部材２の下腕５の前端部に上方を向いて突出形成されている突起５Ａが接続対象物３の接続端部の切り欠き３Ａ内に挿入されることで、接続対象物３がコネクタから抜けることを防止している。
【先行技術文献】
【特許文献】
【０００３】
【特許文献１】特開２０１１−２３２３６号公報
【発明の概要】
【発明が解決しようとする課題】
【０００４】
しかしながら、特許文献１のコネクタでは、接続対象物３の接続端部が抜け止め部材２の下腕５の突起５Ａを乗り越えつつコネクタ内に挿入されることとなり、上腕４と下腕５との間に、接続対象物３の接続端部が下腕５の突起５Ａを乗り越えるだけの、少なくとも突起５Ａの高さ分に相当する可動領域を予め形成する必要がある。このため、コネクタに接続された状態の接続対象物３に上方に向く応力が作用して、接続対象物３の切り欠き３Ａの形成箇所が可動領域の範囲内で上方に持ち上げられると、切り欠き３Ａが抜け止め部材２の下腕５の突起５Ａから外れて、接続対象物３がコネクタから抜けるおそれを生じてしまう。
【０００５】
この発明は、このような従来の問題点を解消するためになされたもので、嵌合状態にある平板状またはシート状の接続対象物の抜けを効果的に防止することができるコネクタを提供することを目的とする。
【課題を解決するための手段】
【０００６】
この発明に係るコネクタは、アクチュエータをロック解除位置からロック位置に操作することによりハウジングに平板状またはシート状の接続対象物を機械的に保持して接続対象物の接点部をコンタクトに電気的に接続するコネクタにおいて、ハウジングは、接続対象物が挿入される正面側に向かって互いに平行に延びる上側板状部および下側板状部を有すると共に上側板状部の下面と下側板状部の上面との間に正面側に向かって開放された接続対象物受け入れ部を有し、ハウジングに保持されると共に接続対象物受け入れ部内に挿入された接続対象物の接続端部の位置をロックするためのロック部材を備え、ロック部材は、それぞれ接続対象物の挿入方向に延びると共に接続対象物の挿入方向の中央部分が互いに連結された上腕および下腕を有し、上腕の前端部は上側板状部の下面よりも上方で上側板状部に沿って正面側へ延びて上側板状部に拘束され、下腕の前端部は下側板状部に沿って正面側へ延びると共に下腕の前端部に上側板状部に向かって突出するロック用突起が形成され、下腕の後端部はハウジングに対して位置固定され、アクチュエータがロック位置に操作されると、ロック部材の上腕の後端部が下腕の後端部から離れるように押し上げられることにより、下腕の前端部が上腕の前端部に接近し、ロック用突起が接続対象物受け入れ部内を上側板状部に向かって変位して接続対象物の接続端部の位置をロックするものである。
【０００７】
ロック用突起は、アクチュエータがロック解除位置に操作されたときに、下側板状部の上面よりも下方に位置し、アクチュエータがロック位置に操作されると、接続対象物受け入れ部内に突出するように構成することができる。
あるいは、ロック用突起は、アクチュエータがロック解除位置に操作されたときから接続対象物受け入れ部内に突出しており、下側板状部は、接続対象物受け入れ部内に接続対象物を挿入する際にロック用突起が接続対象物に接触することで押し下げられるロック部材の下腕の前端部を収容する下腕収容部を有するように構成することもできる。
【０００８】
上側板状部は、ロック部材の上腕の前端部を収容し且つ上腕の前端部を正面側および下側板状部に向かって変位しないように拘束する上腕収容部を有することが好ましい。
ロック部材は、下腕の後端部に連結された基板実装部を有し、コンタクトは、ハウジングに保持されると共にハウジングの後部に突出する基板接続部を有し、ハウジングは、コンタクトの基板接続部を基板に接続することにより基板に固定され、ロック部材は、基板実装部を基板に実装することにより基板に固定されると共に下腕の後端部がハウジングに対して位置固定されるように構成することができる。あるいは、ロック部材は、下腕の後端部に連結されたハウジング保持部を有し、ハウジング保持部をハウジングに保持させることにより下腕の後端部がハウジングに対して位置固定されるように構成してもよい。
アクチュエータは、ロック部材の上腕の後端部と下腕の後端部との間に配置され且つアクチュエータがロック位置に操作されたときにロック部材の上腕の後端部を押し上げるカム部材を有することが好ましい。
【発明の効果】
【０００９】
この発明によれば、ロック部材の上腕の前端部は上側板状部の下面よりも上方で上側板状部に沿って正面側へ延びて上側板状部に拘束され、下腕の前端部は下側板状部に沿って正面側へ延びると共に下腕の前端部に上側板状部に向かって突出するロック用突起が形成され、アクチュエータがロック位置に操作されると、ロック部材の上腕の後端部が下腕の後端部から離れるように押し上げられることにより、下腕の前端部が上腕の前端部に接近し、ロック用突起が接続対象物受け入れ部内を上側板状部に向かって変位して接続対象物の接続端部の位置をロックするので、嵌合状態にある平板状またはシート状の接続対象物の抜けを効果的に防止することが可能となる。
【図面の簡単な説明】
【００１０】
【図１】この発明の実施の形態１に係るコネクタを示し、（Ａ）は斜視図、（Ｂ）は平面図、（Ｃ）は正面図、（Ｄ）は側面図である。
【図２】図１（Ｂ）のＡ−Ａ線断面図である。
【図３】図１（Ｂ）のＢ−Ｂ線切断斜視図である。
【図４】実施の形態１に係るコネクタに嵌合される接続対象物を示し、（Ａ）は平面図、（Ｂ）は正面図である。
【図５】接続対象物との嵌合状態にある実施の形態１のコネクタを示し、（Ａ）は斜視図、（Ｂ）は平面図、（Ｃ）は正面図、（Ｄ）は側面図である。
【図６】図５（Ｂ）のＣ−Ｃ線断面図である。
【図７】図５（Ｂ）のＤ−Ｄ線切断斜視図である。
【図８】実施の形態２に係るコネクタを示し、図１（Ｂ）のＢ−Ｂ線断面に相当する切断斜視図である。
【図９】実施の形態２に係るコネクタを示し、図５（Ｂ）のＤ−Ｄ線断面に相当する切断斜視図である。
【図１０】従来のコネクタを示す断面図である。
【発明を実施するための形態】
【００１１】
実施の形態１
以下、この発明の実施の形態１を添付図面に基づいて説明する。
図１（Ａ）〜（Ｄ）に、実施の形態１に係るコネクタ１００の構成を示す。このコネクタ１００は、ＦＰＣおよびＦＦＣ等の平板状またはシート状の接続対象物の接続を行う小型のコネクタであり、幅方向に細長いほぼ直方体形状の外形を有するハウジング１１と、ハウジング１１に回転操作可能に取り付けられたアクチュエータ１２と、ハウジング１１の幅方向に配列され且つそれぞれハウジング１１の正面１１Ａ側から背面１１Ｂ側に向かって延びる複数のコンタクト１３を備えている。それぞれのコンタクト１３は、ハウジング１１の背面１１Ｂ側に一部が露出する第１コンタクト１４と、ハウジング１１の正面１１Ａ側に一部が露出する第２コンタクト１５から構成されている。
【００１２】
さらに、コネクタ１００は、複数のコンタクト１３の配列方向の両側にそれぞれ配置され且つハウジング１１に保持された一対のロック部材１６を有している。
ここで、便宜上、複数のコンタクト１３の配列方向をＸ方向、ハウジング１１の正面１１Ａ側から背面１１Ｂ側に向かう方向をＹ方向、ハウジング１１の下部から上部へ向かう方向をＺ方向と呼ぶこととする。
【００１３】
ハウジング１１は、接続対象物が挿入される正面１１Ａ側に向かって−Ｙ方向に互いに平行に延び且つ互いにＺ方向に対向する上側板状部２１および下側板状部２２を有しており、上側板状部２１の下面２１Ａと下側板状部２２の上面２２Ａとの間に、正面１１Ａ側に向かって開放された接続対象物受け入れ部２３が形成されている。
ハウジング１１の背面１１Ｂ側の上部は開放されており、このハウジング１１の開放された背面１１Ｂ側の上部に、アクチュエータ１２がロック解除位置とロック位置との間でハウジング１１の幅方向すなわちＸ方向に延びる回転軸の周りに回転操作可能に取り付けられている。アクチュエータ１２がロック解除位置に位置するときには、接続対象物の接続端部をＹ方向に沿って接続対象物受け入れ部２３に抜き差しすることができ、アクチュエータ１２がロック位置に位置するときには、接続対象物の接続端部が接続対象物受け入れ部２３に挿入された状態にロックされる。図１（Ａ）〜（Ｄ）には、アクチュエータ１２がロック解除位置に位置する状態が示されている。
【００１４】
ハウジング１１には、それぞれ正面１１Ａ側から背面１１Ｂ側までＹ方向に貫通する、互いに平行な複数のスリット２４が形成され、これら複数のスリット２４にそれぞれ対応する第１コンタクト１４および第２コンタクト１５が圧入され固定されている。
第１コンタクト１４は、図２に示されるように、ハウジング１１の正面１１Ａ側から背面１１Ｂ側に向かってＹ方向に延びると共に中央部分がＺ方向に互いに連結された上腕１４Ａおよび下腕１４Ｂを有し、上腕１４Ａの−Ｙ方向端部である前端部はハウジング１１の上側板状部２１に沿って正面１１Ａ側へ延び、下腕１４Ｂは、ハウジング１１の下側板状部２２に沿ってＹ方向に延びている。上腕１４Ａの前端部と下腕１４Ｂの前端部の間に接続対象物受け入れ部２３が位置している。
【００１５】
上腕１４Ａの前端部に、接続対象物受け入れ部２３に向けて−Ｚ方向に突出する接点部１４Ｃが形成されているが、アクチュエータ１２がロック解除位置に位置するときには、接点部１４Ｃがハウジング１１の上側板状部２１の下面２１Ａよりも上方に位置している。さらに、下腕１４Ｂの＋Ｙ方向端部である後端部は下側板状部２２に固定されると共に、この下腕１４Ｂの後端部に、ハウジング１１の背面１１Ｂから露出して図示しない基板の接続パッドに接続される基板接続部１４Ｄが連結されている。また、上腕１４Ａの後端部と下腕１４Ｂの後端部の間に、アクチュエータ１２に具備されたカム部材１２Ａが配置されている。
【００１６】
第２コンタクト１５は、ハウジング１１の正面１１Ａ側において下側板状部２２に固定され、一端が下側板状部２２の上面２２Ａから接続対象物受け入れ部２３に突出して接点部１５Ａを形成すると共に、他端がハウジング１１の正面１１Ａから露出して基板接続部１５Ｂを形成している。
【００１７】
図３に示されるように、ロック部材１６は、第１コンタクト１４と同様に、それぞれハウジング１１の正面１１Ａ側から背面１１Ｂ側に向かってＹ方向に延びる上腕１６Ａおよび下腕１６Ｂを有しており、上腕１６Ａおよび下腕１６Ｂの中央部分が互いに連結部１６Ｃを介してＺ方向に連結されている。
上腕１６Ａの前端部１６Ｄは、ハウジング１１の上側板状部２１に沿って正面１１Ａ側へ延びると共に、下腕１６Ｂの前端部１６Ｅは、ハウジング１１の下側板状部２２に沿って正面１１Ａ側へ延び、これら上腕１６Ａの前端部１６Ｄと下腕１６Ｂの前端部１６Ｅの間に接続対象物受け入れ部２３が位置している。また、下腕１６Ｂの前端部１６Ｅには、上側板状部２１に向かって接続対象物受け入れ部２３内に突出するロック用突起１６Ｆが形成されている。
【００１８】
上側板状部２１には、上方すなわち＋Ｚ方向に向かって開放された上腕収容部２１Ｂが形成されており、上腕１６Ａの前端部１６Ｄは、この上腕収容部２１Ｂ内に収容されている。上腕収容部２１Ｂの−Ｙ方向端部および−Ｚ方向端部は、それぞれ閉じられており、これにより、上腕１６Ａの前端部１６Ｄは、上側板状部２１の下面２１Ａよりも上方で、ハウジング１１の正面１１Ａ側に向かった−Ｙ方向への変位および下側板状部２２に向かった−Ｚ方向への変位が禁止されるように上側板状部２１に拘束されている。
一方、下側板状部２２にも、＋Ｚ方向に向かって開放された下腕収容部２２Ｂが形成されており、下腕１６Ｂの前端部１６Ｅは、Ｚ方向に変位可能に下腕収容部２２Ｂ内に収容されている。下側板状部２２の下腕収容部２２Ｂは、下腕１６Ｂの前端部１６Ｅが−Ｚ方向に変位したときに、ロック用突起１６Ｆが下側板状部２２の上面２２Ａよりも下方に位置するような大きさに予め形成されている。
【００１９】
また、上腕１６Ａの後端部１６Ｇと下腕１６Ｂの後端部１６Ｈの間には、アクチュエータ１２のカム部材１２Ａが配置され、さらに、下腕１６Ｂの後端部１６Ｈには、下側板状部２２に保持するためのハウジング保持部１６Ｊが連結されると共にハウジング１１の背面１１Ｂから露出して図示しない基板に実装される基板実装部１６Ｋが連結されている。
【００２０】
図４に接続対象物１７の接続端部１７Ａを示す。接続対象物１７は、例えばＦＰＣからなり、可撓性を有する絶縁基板１７Ｂと、接続端部１７Ａにおける絶縁基板１７Ｂの両面上にそれぞれ配列形成された複数の第１接点部１７Ｃおよび複数の第２接点部１７Ｄを有している。また、接続対象物１７の接続端部１７Ａの両側端には、それぞれ切り欠き部１７Ｅが形成されている。
なお、複数の第１接点部１７Ｃおよび複数の第２接点部１７Ｄの配列ピッチは、コネクタ１００の複数の第１コンタクト１４および複数の第２コンタクト１５の配列ピッチに等しく、接続対象物１７の接続端部１７Ａがコネクタ１００の接続対象物受け入れ部２３に挿入されたときに、複数の第１接点部１７Ｃおよび複数の第２接点部１７Ｄがそれぞれコネクタ１００の対応する第１コンタクト１４および第２コンタクト１５と同じＸ方向の位置となり、双方の切り欠き部１７Ｅは、それぞれ対応するロック部材１６と同じＸ方向の位置となるように配置されているものとする。
【００２１】
次に、この実施の形態１の動作について説明する。
コネクタ１００は、複数の第１コンタクト１４の基板接続部１４Ｄおよび複数の第２コンタクト１５の基板接続部１５Ｂをそれぞれ図示しない基板の対応する接続パッドに半田付けして接続すると共に一対のロック部材１６の基板実装部１６Ｋをそれぞれ図示しない基板の対応する実装パッドに半田付けして固定した状態で使用される。
まず、図１（Ａ）〜（Ｄ）に示されるように、アクチュエータ１２をロック解除位置に位置させた状態で、接続対象物受け入れ部２３に接続対象物１７の接続端部１７Ａを挿入する。
【００２２】
アクチュエータ１２がロック解除位置に位置するときには、図２に示したように、第１コンタクト１４の接点部１４Ｃがハウジング１１の上側板状部２１の下面２１Ａよりも上方に位置しており、接続対象物１７の接続端部１７Ａは、下側板状部２２の上面２２Ａから突出する第２コンタクト１５の接点部１５Ａと上側板状部２１の下面２１Ａとの間を通りつつ接続対象物受け入れ部２３内に挿入される。これにより、接続対象物１７の複数の第１接点部１７Ｃが、それぞれ対応する第１コンタクト１４の接点部１４Ｃの直下に位置し、接続対象物１７の複数の第２接点部１７Ｄが、それぞれ対応する第２コンタクト１５の接点部１５Ａの直上に位置することとなる。
【００２３】
また、このとき、接続対象物１７の接続端部１７Ａの両側端部に位置する絶縁基板１７Ｂは、図３に示したように、接続対象物受け入れ部２３内に突出するロック部材１６のロック用突起１６Ｆに接触して下腕１６Ｂの前端部１６Ｅを弾性的に下腕収容部２２Ｂ内に押し下げながら接続対象物受け入れ部２３内に挿入される。
そして、接続対象物１７の接続端部１７Ａの先端が接続対象物受け入れ部２３の奥部に位置する突き当たり面２３Ａに接触するまで、接続対象物１７の接続端部１７Ａを接続対象物受け入れ部２３に挿入すると、接続対象物１７の切り欠き部１７Ｅがロック部材１６のロック用突起１６Ｆの直上に位置し、下腕収容部２２Ｂ内に押し下げられていた下腕１６Ｂの前端部１６Ｅの変位が解消されて、ロック用突起１６Ｆが接続対象物１７の切り欠き部１７Ｅ内に突出した状態となる。
【００２４】
その後、アクチュエータ１２をＸ方向に延びる回転軸の周りに回転操作して、図５（Ａ）〜（Ｄ）に示されるように、アクチュエータ１２をロック位置に位置させる。
このとき、図６に示されるように、アクチュエータ１２のカム部材１２Ａが回転することで、第１コンタクト１４の上腕１４Ａの後端部と下腕１４Ｂの後端部の間隔が拡げられるが、下腕１４Ｂの後端部が下側板状部２２に固定されているので、上腕１４Ａの後端部が弾性的に＋Ｚ方向に持ち上げられる。ここで、上腕１４Ａおよび下腕１４Ｂは、中央部分がＺ方向に互いに連結されているため、上腕１４Ａの後端部が持ち上げられることで、上腕１４Ａの前端部が−Ｚ方向に押し下げられ、上腕１４Ａの前端部に突出形成されている接点部１４Ｃが接続対象物１７に押しつけられる。これにより、接続対象物１７の表面上に配置されている複数の第１接点部１７Ｃが、それぞれ対応する第１コンタクト１４の接点部１４Ｃに接触すると共に、接続対象物１７の裏面上に配置されている複数の第２接点部１７Ｄが、それぞれ対応する第２コンタクト１５の接点部１５Ａに接触し、接続対象物１７の複数の第１接点部１７Ｃおよび複数の第２接点部１７Ｄとコネクタ１００の複数の第１コンタクト１４および第２コンタクト１５との間の電気的接続が確立される。
【００２５】
また、図７に示されるように、アクチュエータ１２のカム部材１２Ａが回転することで、ロック部材１６の上腕１６Ａの後端部１６Ｇと下腕１６Ｂの後端部１６Ｈの間隔も拡げられるが、下腕１６Ｂの後端部１６Ｈが下側板状部２２に固定されているので、上腕１６Ａの後端部１６Ｇが弾性的に＋Ｚ方向に持ち上げられる。ここで、上腕１６Ａの前端部１６Ｄは、上側板状部２１の上腕収容部２１Ｂ内に収容されることでハウジング１１の正面１１Ａ側に向かった−Ｙ方向への変位および下側板状部２２に向かった−Ｚ方向への変位が禁止されているため、下腕１６Ｂの中央部分が連結部１６Ｃを介して＋Ｚ方向に引っ張られ、下腕１６Ｂの後端部１６Ｈのハウジング保持部１６Ｊが下側板状部２２に保持されると共に基板実装部１６Ｋが図示しない基板に固定されていることから、下腕１６Ｂの前端部１６Ｅが＋Ｚ方向に持ち上げられる。その結果、下腕１６Ｂの前端部１６Ｅに突出形成されているロック用突起１６Ｆが、さらに、接続対象物１７の切り欠き部１７Ｅ内に突出することとなる。
【００２６】
このようにして、接続対象物１７がコネクタ１００に嵌合されるが、このとき、接続対象物１７の接続端部１７Ａの＋Ｚ方向を向いた表面は、上側板状部２１の下面２１Ａに接触し、−Ｚ方向を向いた裏面上に配置されている複数の第２接点部１７Ｄは、それぞれ対応する第２コンタクト１５の接点部１５Ａに押しつけられ、さらに、切り欠き部１７Ｅの近傍において接続端部１７Ａの裏面がロック部材１６の下腕１６Ｂの前端部１６Ｅにより＋Ｚ方向に押しつけられた状態にある。
【００２７】
このため、コネクタ１００に接続された状態の接続対象物１７にＺ方向の応力が作用しても、接続対象物１７の接続端部１７Ａは、コネクタ１００に対して相対的に＋Ｚ方向にも−Ｚ方向にも移動することがなく、接続端部１７Ａの位置が接続対象物受け入れ部２３内に確実にロックされる。また、ロック部材１６の下腕１６Ｂのハウジング保持部１６Ｊが下側板状部２２に保持されると共に基板実装部１６Ｋが図示しない基板の対応する実装パッドに固定され、下腕１６Ｂの前端部１６Ｅに突出形成されたロック用突起１６Ｆが接続対象物１７の切り欠き部１７Ｅ内に突出しているため、接続対象物１７に−Ｙ方向を向いた、コネクタ１００から引き抜く力が作用しても、ロック用突起１６Ｆが切り欠き部１７Ｅに引っ掛かることで、接続対象物１７がコネクタ１００から抜けることが防止される。
従って、接続対象物１７とコネクタ１００との間に信頼性の高い電気導通状態が実現されることとなる。
【００２８】
実施の形態２
上記の実施の形態１では、図３に示したように、アクチュエータ１２がロック解除位置に位置するときに、ロック部材１６のロック用突起１６Ｆが既に接続対象物受け入れ部２３内に突出しており、接続対象物１７の接続端部１７Ａが、ロック用突起１６Ｆに接触して下腕１６Ｂの前端部１６Ｅを弾性的に下腕収容部２２Ｂ内に押し下げながら接続対象物受け入れ部２３内に挿入されたが、これに限るものではない。
【００２９】
例えば、図８に示される実施の形態２のコネクタ１０１のように、アクチュエータ１２がロック解除位置に位置するときに、ロック部材１６１のロック用突起１６１Ｆが下側板状部２２の下腕収容部２２Ｂ内に収容されて下側板状部２２の上面２２Ａよりも下方に位置していてもよい。
これにより、接続対象物１７の接続端部１７Ａを接続対象物受け入れ部２３内に挿入する際に、ロック部材１６のロック用突起１６１Ｆに接触して下腕１６１Ｂの前端部１６１Ｅを押し下げることがなくなり、接続対象物１７を接続対象物受け入れ部２３内に挿入しやすくなる。
なお、この実施の形態２に係るコネクタ１０１は、実施の形態１のコネクタ１００においてロック部材１６の代わりにロック部材１６１を用いたものであり、他の部材は、実施の形態１のコネクタ１００と同様である、また、ロック部材１６１は、実施の形態１におけるロック部材１６の下腕１６Ｂ、下腕１６Ｂの前端部１６Ｅおよびロック用突起１６Ｆの代わりに、ロック部材１６１の下腕１６１Ｂ、下腕１６１Ｂの前端部１６１Ｅおよびロック用突起１６１Ｆを用いた他は、実施の形態１のロック部材１６と同様の構成を有している。
【００３０】
アクチュエータ１２をロック位置に位置させたときには、図９に示されるように、上述した実施の形態１と同様にして、アクチュエータ１２のカム部材１２Ａによりロック部材１６１の上腕１６Ａの後端部１６Ｇが＋Ｚ方向に持ち上げられて、下腕１６１Ｂの前端部１６１Ｅが＋Ｚ方向に持ち上げられ、下側板状部２２の下腕収容部２２Ｂ内に収容されていたロック用突起１６１Ｆが接続対象物１７の切り欠き部１７Ｅ内に突出する状態となる。従って、実施の形態１のコネクタ１００と同様に、接続対象物１７のコネクタからの抜けを効果的に防止することが可能となる。
【００３１】
なお、上記の実施の形態１および２においては、ロック部材１６または１６１が下腕１６Ｂまたは１６１Ｂの後端部１６Ｈに連結されたハウジング保持部１６Ｊおよび基板実装部１６Ｋを有し、ハウジング保持部１６Ｊが下側板状部２２に保持されると共に基板実装部１６Ｋが図示しない基板の対応する実装パッドに半田付けにより固定されていたが、これに限るものではない。
ロック部材１６または１６１の下腕１６Ｂまたは１６１Ｂの後端部１６Ｈがハウジング１１に対して位置固定されていればよく、例えば、ロック部材１６または１６１がハウジング保持部１６Ｊを具備せずに、基板実装部１６Ｋが図示しない基板の実装パッドに固定されるだけの構成とすることもできる。この場合、複数の第１コンタクト１４の基板接続部１４Ｄおよび複数の第２コンタクト１５の基板接続部１５Ｂをそれぞれ図示しない基板の対応する接続パッドに半田付けすることで、ハウジング１１が基板に固定されるので、ロック部材１６または１６１の基板実装部１６Ｋを基板の実装パッドに固定することにより、基板を介して、ロック部材１６または１６１はハウジング１１に対し位置固定されることとなる。
【００３２】
あるいは、ロック部材１６または１６１が基板実装部１６Ｋを具備せずに、ハウジング保持部１６Ｊによりハウジング１１の下側板状部２２に保持されるだけの構成とすることもできる。このようにしても、ロック部材１６または１６１の下腕１６Ｂまたは１６１Ｂの後端部１６Ｈは、ハウジング１１に対して位置固定される。
【符号の説明】
【００３３】
１  ハウジング、２  抜け止め部材、３  接続対象物、３Ａ  切り欠き、４  上腕、５  下腕、５Ａ  突起、６  連結部、７  アクチュエータ、１１  ハウジング、１１Ａ  ハウジングの正面、１１Ｂ  ハウジングの背面、１２  アクチュエータ、１２Ａ  カム部材、１３  コンタクト、１４  第１コンタクト、１４Ａ  上腕、１４Ｂ  下腕、１４Ｃ  接点部、１４Ｄ  基板接続部、１５  第２コンタクト、１５Ａ  接点部、１５Ｂ  基板接続部、１６，１６１  ロック部材、１６Ａ  上腕、１６Ｂ，１６１Ｂ  下腕、１６Ｃ  連結部、１６Ｄ  上腕の前端部、１６Ｅ，１６１Ｅ  下腕の前端部、１６Ｆ，１６１Ｆ  ロック用突起、１６Ｇ  上腕の後端部、１６Ｈ  下腕の後端部、１６Ｊ  ハウジング保持部、１６Ｋ  基板実装部、１７  接続対象物、１７Ａ  接続端部、１７Ｂ  絶縁基板、１７Ｃ  第１接点部、１７Ｄ  第２接点部、１７Ｅ  切り欠き部、２１  上側板状部、２１Ａ  上側板状部の下面、２１Ｂ  上腕収容部、２２  下側板状部、２２Ａ  下側板状部の上面、２２Ｂ  下腕収容部、２３  接続対象物受け入れ部、２４  スリット、１００，１０１  コネクタ。
【図１】
0006342300.tif 000002
【図２】
0006342300.tif 000003
【図３】
0006342300.tif 000004
【図４】
0006342300.tif 000005
【図５】
0006342300.tif 000006
【図６】
0006342300.tif 000007
【図７】
0006342300.tif 000008
【図８】
0006342300.tif 000009
【図９】
0006342300.tif 000010
【図１０】
0006342300.tif 000011